(57)【要約】      （修正有）【課題】地震計シミュレーション展示モデルを提供する。【解決手段】地震計シミュレーション展示モデルは、バレル形本体３が設けられるベース１を含み、バレル形本体の外壁には、８つのドラゴン形状の構造４が均等に配置され、ドラゴン形状の構造の嘴部には、回転可能な機構が設けられ、回転可能な機構と嘴部との間には、ボールが移動可能に設けられ、ドラゴン形状の構造の下部には、ボールキャッチ機構２が設けられ、ベースの縁には、複数の圧力センサ７が設けられ、圧力センサとドラゴン形状の構造とは、両者の数が同じであり、両者の位置が対応し、圧力センサは、回転可能な機構に電気接続される。【選択図】図１
0003235432.tif 000002
【実用新案登録請求の範囲】
【請求項１】
地震計シミュレーション展示モデルであって、
バレル形本体が設けられているベースを含み、
前記バレル形本体の外壁には、８つのドラゴン形状の構造が均等に配置され、
前記ドラゴン形状の構造の嘴部には、回転可能な機構が設けられ、
前記回転可能な機構と嘴部との間には、ボールが移動可能に設けられ、
前記ドラゴン形状の構造の下部には、ボールキャッチ機構が設けられ、
前記ベースの縁には、複数の圧力センサが設けられ、
前記圧力センサと前記ドラゴン形状の構造とは、両者の数が同じであり、両者の位置が対応し、
前記圧力センサは、前記回転可能な機構に電気接続されている
ことを特徴とする地震計シミュレーション展示モデル。
【請求項２】
請求項１に記載の地震計シミュレーション展示モデルであって、
前記ボールキャッチ機構は、ヒキガエル形状であり、その口部が上に向かって前記ドラゴン形状の構造と位置合わせする
ことを特徴とする地震計シミュレーション展示モデル。
【請求項３】
請求項１に記載の地震計シミュレーション展示モデルであって、
前記回転可能な機構は、バッフルを含み、
前記バッフルの端部は、回転軸を介して前記ドラゴン形状の構造の頭部に接続され、
前記回転軸の端部には、モータが接続され、
前記バッフルと前記頭部との間にトーションスプリングが設けられ、
前記バッフルは、前記トーションスプリングにより前記頭部の下部に押されている
ことを特徴とする地震計シミュレーション展示モデル。
【請求項４】
請求項１に記載の地震計シミュレーション展示モデルであって、
前記圧力センサは、導線を介して前記モータに電気接続されている
ことを特徴とする地震計シミュレーション展示モデル。
【請求項５】
請求項４に記載の地震計シミュレーション展示モデルであって、
前記ベースの底部における圧力センサに対応する部分には、スロットが形成され、
前記スロットは、前記ベースの中心に向かって延在し、
前記導線は、前記スロット内に収納されるとともに前記底部に沿って前記ドラゴン形状の構造まで延在し、前記モータに接続されている
ことを特徴とする地震計シミュレーション展示モデル。
【考案の詳細な説明】
【技術分野】
【０００１】
本考案は、展示モデルの技術領域に関し、特に地震計シミュレーション展示モデルに関する。
【背景技術】
【０００２】
地震計は、西暦１３２年に中国の漢王朝の科学者である張衡によって発明され、外観が蓋付の腹が突き出たティーカップに似ている主体を含む。主体の表面には、８つのドラゴンが鋳られ、ドラゴンの嘴部が可動式であり、各ドラゴンの嘴部には、ボールが設けられる。主体内には、都柱と八道とが設けられる。都柱は、上部が太く下部が細い棒であり、振り子として機能する。八道は、都柱の周りに８つの方向に配置され、機械式伝達装置に接続される。また、地震計には、８つの口を開けたヒキガエルが設けられる。地震計は、ドラゴンの頭部が東、南、西、北、東南、北東、南西、北西の８方向に向かって配置され、８つの口を開けたヒキガエルがドラゴンの嘴部に向かって配置されるように地面に置かれる。地震する際に、ボールがヒキガエルの口の中に落ち込む。一部の教育のための展示や博物館の展示では、例えば、中国特許ＣＮ２０１０８４３０９Ｙの実用新案は、通常モデルとして展示され、実際に地震を発生させることにより当該装置を展示することができないため、ある程度誤って判断することがある。博物館のディスプレイとして使用するには、十分ではない。
【考案の概要】
【課題を解決するための手段】
【０００３】
上述した技術的問題を解決するために、本考案は、地震計シミュレーション展示モデルを提供する。
【０００４】
地震計シミュレーション展示モデルは、
バレル形本体が設けられているベースを含み、
前記バレル形本体の外壁には、８つのドラゴン形状の構造が均等に配置され、
前記ドラゴン形状の構造の嘴部には、回転可能な機構が設けられ、
前記回転可能な機構と嘴部との間には、ボールが移動可能に設けられ、
前記ドラゴン形状の構造の下部には、ボールキャッチ機構が設けられ、
前記ベースの縁には、複数の圧力センサが設けられ、
前記圧力センサと前記ドラゴン形状の構造とは、両者の数が同じであり、両者の位置が対応し、
前記圧力センサは、前記回転可能な機構に電気接続されている。
【０００５】
好ましくは、前記ボールキャッチ機構は、ヒキガエル形状であり、その口部が上に向かって前記ドラゴン形状の構造と位置合わせする。
【０００６】
好ましくは、前記回転可能な機構は、バッフルを含み、
前記バッフルの端部は、回転軸を介して前記ドラゴン形状の構造の頭部に接続され、
前記回転軸の端部には、モータが接続され、
前記バッフルと前記頭部との間にトーションスプリングが設けられ、
前記バッフルは、前記トーションスプリングにより前記頭部の下部に押されている。
【０００７】
好ましくは、前記圧力センサは、導線を介して前記モータに電気接続されている。
【０００８】
好ましくは、前記ベースの底部における圧力センサに対応する部分には、スロットが形成され、
前記スロットは、前記ベースの中心に向かって延在し、
前記導線は、前記スロット内に収納されるとともに前記底部に沿って前記ドラゴン形状の構造まで延在し、前記モータに接続されている。
【考案の効果】
【０００９】
本考案に係る地震計シミュレーション展示モデルによれば、圧力センサを設ける形式により、ユーザが参観する際に、対応位置に設けられる圧力センサをノックすることにより、ドラゴン形状の本体に接続されるバッフルを回転させ、ボールをヒキガエルの口の中に落ち込み、地震後に地震計の動作をシミュレートすることができ、ユーザにより十分な体験をあたえ、誤って判断することもない。
【図面の簡単な説明】
【００１０】
本考案に係る実施例における課題を解決するための手段をより明確に説明するために、以下、実施例において使用される図面について簡単に説明する。
【図１】本考案に係わる構造模式斜視図である。
【図２】本考案に係わる回転可能な機構の模式図である。
【図３】本考案に係わる回転可能な機構の回転模式図である。
【図４】本考案に係わる床の底部の模式図である。
【考案を実施するための形態】
【００１１】
以下、図面を参照しながら本考案に係る実施例について明確かつ詳細に説明する。
図１に示すように、本考案のある態様によれば、地震計シミュレーション展示モデルは、バレル形本体３が設けられるベース１を含み、前記バレル形本体３の外壁には、８つのドラゴン形状の構造４が均等に配置され、前記ドラゴン形状の構造４の下部には、ボールキャッチ機構２が設けられる。前記ボールキャッチ機構２は、ヒキガエル形状であり、その口部が上に向かって前記ドラゴン形状の構造と位置合わせする。バレル形本体３、ドラゴン形状の構造４およびヒキガエル形状のボールキャッチ機構２は、いずれも張衡の地震計とは構造が同一であり、生き生きと地震計を展示するためのものである。その相違点は以下にある。前記ドラゴン形状の構造４の嘴部には、回転可能な機構が設けられ、前記回転可能な機構と嘴部との間にボール５が設けられる。回転可能な機構は、初期状態が頭部を下に押す状態であり、内部にアークのエッジを有し、これによりボール５が押されるように収納される。前記ベース１の縁には、複数の圧力センサ７が設けられる。前記圧力センサ７と前記ドラゴン形状の構造とは、両者の数が同じであり、両者の位置が対応し、前記圧力センサ７は、前記回転可能な機構に電気接続される。本装置の原理は以下である。ベース１上に設けられる圧力センサ７がノックされると、圧力センサ７は、回転可能な機構に電気信号を伝送するため、回転可能な機構が回転するように駆動され、バッフル６上に位置するボール５が落ちる。これにより、地震計の機能がシミュレートされる。上述した過程において、ユーザは、自分で地震の方向をシミュレートし、対応するボルト５を落下させることができるため、展示が生き生きとなる。なお、圧力センサ７とモータとの間の回路制御は、一般的な制御方法であるため、ここで省略する。前記回転可能な機構は、バッフル６を含み、前記バッフル６の端部は、回転軸１０を介して前記ドラゴン形状の構造の頭部に接続され、前記回転軸１０の端部には、モータが接続され、前記バッフル６と前記頭部との間にトーションスプリング９が設けられ、前記バッフル６は、前記トーションスプリング９により前記頭部の下部に押される。
【００１２】
また、回転可能な機構の回転方式について詳しく説明する。前記回転可能な機構は、バッフル６を含み、前記バッフル６の端部は、回転軸１０を介して前記ドラゴン形状の構造の頭部に接続され、前記回転軸１０の端部には、モータ（図示せず）が接続され、前記バッフル６と前記頭部との間にトーションスプリング９が設けられ、前記バッフル６は、前記トーションスプリング９により前記頭部の下部に押される。モータがオンにされると、回転軸１０が回転するように駆動される。また、回転軸１０は、バッフル６に固定して接続されるため、バッフル６が下に向かうとともにトーションスプリング９がバッフル６の端部と頭部の間に設けられる。モータがバッフル６を回転するように駆動すると、トーションスプリング９が伸び、モータが停止すると、バッフル６がトーションスプリング９の応力により元の位置に戻る。ユーザは、ボールをバッフル６内に入れることにより次回の操作を開始することができる。
【００１３】
装置全体の美観を確保するため、前記圧力センサ７は、導線を介して前記モータに電気接続される。前記ベース１の底部における圧力センサ７に対応する部分には、スロット８が形成され、前記スロット８は、前記ベース１の中心に向かって延在し、前記導線は、前記スロット８内に収納されるとともに前記底部に沿って前記ドラゴン形状の構造４まで延在し、前記モータに接続される。底部にスロット８を形成することにより、導線が全て下部で中心に向かって延在し、ドラゴン形状の構造４の内部でモータに接続されるため、導線が露出しないことが確保される。
【００１４】
上述した装置によれば、ユーザが圧力センサ７をノックすることは、地震をシミュレートすることであり、地震ボール５の落下が展示され、参観が一層面白くなる。
【符号の説明】
【００１５】
１  ベース、
２  ボールキャッチ機構、
３  バレル形本体、
４  ドラゴン形状の構造、
５  ボール、
６  バッフル、
７  圧力センサ、
８  スロット、
９  トーションスプリング、
１０  回転軸。
【図１】
0003235432.tif 000003
【図２】
0003235432.tif 000004
【図３】
0003235432.tif 000005
【図４】
0003235432.tif 000006
【手続補正書】
【提出日】令和3年7月13日(2021.7.13)
【手続補正１】
【補正対象書類名】実用新案登録請求の範囲
【補正対象項目名】全文
【補正方法】変更
【補正の内容】
【実用新案登録請求の範囲】
【請求項１】
地震計シミュレーション展示モデルであって、
バレル形本体が設けられているベースを含み、
前記バレル形本体の外壁には、８つのドラゴン形状の構造が均等に配置され、
前記ドラゴン形状の構造の嘴部には、回転可能な機構が設けられ、
前記回転可能な機構と嘴部との間には、ボールが移動可能に設けられ、
前記ドラゴン形状の構造の下部には、ボールキャッチ機構が設けられ、
前記ベースの縁には、複数の圧力センサが設けられ、
前記圧力センサと前記ドラゴン形状の構造とは、両者の数が同じであり、両者の位置が対応し、
前記圧力センサは、前記回転可能な機構に電気接続されている
ことを特徴とする地震計シミュレーション展示モデル。
【請求項２】
請求項１に記載の地震計シミュレーション展示モデルであって、
前記ボールキャッチ機構は、ヒキガエル形状であり、その口部が上に向かって前記ドラゴン形状の構造と位置合わせする
ことを特徴とする地震計シミュレーション展示モデル。
【請求項３】
請求項１に記載の地震計シミュレーション展示モデルであって、
前記回転可能な機構は、バッフルを含み、
前記バッフルの端部は、回転軸を介して前記ドラゴン形状の構造の頭部に接続され、
前記回転軸の端部には、モータが接続され、
前記バッフルと前記頭部との間にトーションスプリングが設けられ、
前記バッフルは、前記トーションスプリングにより前記頭部の下部に押されている
ことを特徴とする地震計シミュレーション展示モデル。
【請求項４】
請求項３に記載の地震計シミュレーション展示モデルであって、
前記圧力センサは、導線を介して前記モータに電気接続されている
ことを特徴とする地震計シミュレーション展示モデル。
【請求項５】
請求項４に記載の地震計シミュレーション展示モデルであって、
前記ベースの底部における圧力センサに対応する部分には、スロットが形成され、
前記スロットは、前記ベースの中心に向かって延在し、
前記導線は、前記スロット内に収納されるとともに前記底部に沿って前記ドラゴン形状の構造まで延在し、前記モータに接続されている
ことを特徴とする地震計シミュレーション展示モデル。